(57)【要約】【課題】黒筋検知を行う原稿読取装置において、紙間領域の読込のために時間を費やしてしまうのを回避し、読取動作の生産性の低下を抑えることにある。【解決手段】この原稿読取装置１７において、検知位置指定部１３は、読取部１１によって読み取られた画像情報の取り込みのために検知すべき位置として、画像領域６１の搬送方向先端から後方に所定距離離れた第１検知位置Ａ、第１検知位置Ａからさらに後方であって画像領域６１の搬送方向後端よりも前方に位置する第２検知位置Ｂ、及び紙間領域６２に位置する第３検知位置Ｃを指定する。読取制御部１４は、第１乃至第３検知位置Ａ〜Ｃを含む画像領域６１及び紙間領域６２で画像情報を読み取るよう読取部１１を制御する。異常検知部７１は、第１乃至第３検知位置Ａ〜Ｃで読み取られた各画像情報の最も濃度の高い領域の主走査方向位置の差が所定の範囲内にある場合であって所定の濃度を超える領域がある場合に、異常が生じたと判断する。【選択図】図３
2008193553.tif 000002
【特許請求の範囲】
【請求項１】
副操作方向に連続的に搬送される複数の原稿の画像情報を読取可能な原稿読取装置であって、
主走査方向に走査しながら、前記原稿の画像領域と、続けて搬送される２つの原稿の画像領域間の紙間領域とを読取可能な読取部と、
前記読取部によって読み取られた画像情報の取り込みのために検知すべき位置として、前記画像領域の搬送方向先端から後方に所定距離離れた第１検知位置、前記第１検知位置からさらに後方であって前記画像領域の搬送方向後端よりも前方に位置する第２検知位置、及び前記紙間領域に位置する第３検知位置を指定する検知位置指定部と、
前記第１乃至第３検知位置を含む画像領域及び紙間領域で画像情報を読み取るよう前記読取部を制御する読取制御部と、
前記第１乃至第３検知位置で読み取られた各画像情報の最も濃度の高い領域の主走査方向位置の差が所定の範囲内にある場合であって所定の濃度を超える領域がある場合に、異常が生じたと判断する異常検知部と、
を備えた原稿読取装置。
【請求項２】
副走査方向に連続的に搬送される複数の原稿の画像情報を読取可能な原稿読取装置であって、
主走査方向に走査しながら、前記原稿の画像領域と、続けて搬送される２つの原稿の画像領域間の紙間領域とを読取可能な読取部と、
前記読取部によって読み取られた画像情報の取り込みのために検知すべき位置として、前記画像領域の搬送方向先端から後方に所定距離離れた第１検知位置、前記第１検知位置からさらに後方であって前記画像領域の搬送方向後端よりも前方に位置する第２検知位置、及び前記紙間領域に位置する第３検知位置を指定する検知位置指定部と、
前記第１及び第２検知位置を含む画像領域で画像情報を読み取るよう前記読取部を制御するとともに、前記第１及び第２検知位置で読み取られた各画像情報の最も濃度の高い領域の主走査方向位置の差が所定の範囲内にある場合であって所定の濃度を超える領域がある場合に、前記第３検知位置を含む紙間領域で画像情報を読み取るよう前記読取部をさらに制御する読取制御部と、
前記第３検知位置で読み取られた画像情報の最も濃度の高い領域、及び前記第１及び第２検知位置で読み取られた各画像情報の最も濃度の高い領域の主走査方向位置の差が所定の範囲内にある場合であって前記所定の濃度を超える領域がある場合に、異常が生じたと判断する異常検知部と、
を備えた原稿読取装置。
【請求項３】
前記画像領域は、所定の副走査方向長さを有する第１原稿に対応する第１画像領域であり、
前記検知位置指定部は、前記第１画像領域より短い副走査方向長さを有する第２原稿が搬送された場合に、前記第２検知位置として、前記第２原稿の第２画像領域の搬送方向後端を指定する、
請求項１又は２に記載の原稿読取装置。
【請求項４】
前記検知位置指定部と前記読取制御部とはシリアル接続されている、請求項１〜３のいずれかに記載の原稿読取装置。
【発明の詳細な説明】
【技術分野】
【０００１】
本発明は、原稿読取装置、特に、副操作方向に連続的に搬送される複数の原稿の画像情報を読取可能な原稿読取装置に関する。
【背景技術】
【０００２】
従来の原稿読取装置として、副操作方向に連続的に搬送される複数の原稿の画像情報を読み取るための原稿読取装置が知られている。この種の原稿読取装置は、一般に、原稿の読取位置を有するコンタクトガラスと、ＣＣＤ（charge coupled device）を有する読取部と備えるとともに、複数の原稿を連続的に搬送する原稿送り装置がコンタクトガラスに対向して配置されており、原稿送り装置によって搬送される原稿は、読取位置において読取部によって読み取られる。
【０００３】
従来のこの種の原稿読取装置として、コンタクトガラス或いはこれに対向する原稿送り装置側の部材に付着したゴミ（ほこり）、汚れ、きず等によって画像データに副走査方向に延びる筋模様（以下、黒筋ともいう）となって現れるのを回避するために、黒筋検知を行うものが知られている。例えば、適切な黒筋検知を行うために、原稿の画像領域の読取の他、次に搬送される原稿の画像領域との間の領域である紙間領域の読取を行うものが知られている（特許文献１参照）。
【０００４】
この種の原稿読取装置では、具体的に、ＡＳＩＣ（application specific integrated circuit）によって、画像領域の読取時には、搬送方向先端部及び後端部の各処理ラインで読み取られた画像情報を取り込むとともに、紙間領域の読取時には、画像領域の副走査方向長さを縮めて再度読込を行う機能が実現される。これにより、紙間の黒筋の存在を確認することができる。
【特許文献１】特開２０００−３１０８２０号公報
【発明の開示】
【発明が解決しようとする課題】
【０００５】
しかし、上記従来の原稿読取装置では、紙間領域で再度検出動作を行わなければならないことから、原稿通過後の紙間に、ＡＳＩＣに対し検出動作のための検知位置の設定を行る必要がある。このようなリアルタイム系の動作は、次に搬送すべき原稿の搬送タイミングを遅らせ、読取動作の生産性を低下させることとなる。特に、ＡＳＩＣに対するアクセスがシリアルを通じて行われる場合は、頻繁なアクセスが必要となり、多くの時間を要する。
【０００６】
本発明の目的は、黒筋検知を行う原稿読取装置において、紙間領域の読込のために時間を費やしてしまうのを回避し、読取動作の生産性の低下を抑えることにある。
【課題を解決するための手段】
【０００７】
請求項１に記載の原稿読取装置は、副操作方向に連続的に搬送される複数の原稿の画像情報を読取可能な原稿読取装置であって、読取部と、検知位置指定部と、読取制御部と、異常検知部とを備えている。読取部は、主走査方向に走査しながら、原稿の画像領域と、続けて搬送される２つの原稿の画像領域間の紙間領域とを読取可能である。検知位置指定部は、読取部によって読み取られた画像情報の取り込みのために検知すべき位置として、画像領域の搬送方向先端から後方に所定距離離れた第１検知位置、第１検知位置からさらに後方であって画像領域の搬送方向後端よりも前方に位置する第２検知位置、及び紙間領域に位置する第３検知位置を指定する。読取制御部は、第１乃至第３検知位置を含む画像領域及び紙間領域で画像情報を読み取るよう読取部を制御する。異常検知部は、第１乃至第３検知位置で読み取られた各画像情報の最も濃度の高い領域の主走査方向位置の差が所定の範囲内にある場合であって所定の濃度を超える領域がある場合に、異常が生じたと判断する。
【０００８】
この装置では、複数の原稿が副走査方向に連続的に搬送されるのに伴い、読取部が、１枚目の原稿の画像領域を先端部から順次主走査方向に走査しながら読取を行う。この読取動作において、画像領域及び紙間領域の読取が行われるとともに、３つの検知位置での画像情報の取り込みが行われる。各検知位置で取り込まれた画像情報は、それぞれの最も濃度の高い領域の主走査方向位置の差が所定の範囲内にあり、かつ、所定の濃度を超える領域があった場合は、コンタクトガラスへのゴミの付着など紙間領域に起因して黒筋が生じるとして異常が生じたと判断される。
【０００９】
ここでは、紙間領域で画像情報を取り込むべき第３検知位置が、予め検知位置指定部において設定されているので、従来のように画像領域後端部が読み取られた後で、検知位置指定部に対し、紙間領域で再度読込を行うための検知位置を改めて設定することなく、紙間領域の画像情報の取り込みを行うことができる。これにより、次に搬送すべき原稿の搬送タイミングを遅らせずに済み、生産性が低下するのを抑えられる。
【００１０】
請求項２に記載の原稿読取装置は、副走査方向に連続的に搬送される複数の原稿の画像情報を読取可能な原稿読取装置であって、読取部と、検知位置指定部と、読取制御部と、異常検知部とを備えている。読取部は、主走査方向に走査しながら、原稿の画像領域と、続けて搬送される２つの原稿の画像領域間の紙間領域とを読取可能である。検知位置指定部は、読取部によって読み取られた画像情報の取り込みのために検知すべき位置として、画像領域の搬送方向先端から後方に所定距離離れた第１検知位置、第１検知位置からさらに後方であって画像領域の搬送方向後端よりも前方に位置する第２検知位置、及び紙間領域に位置する第３検知位置を指定する。読取制御部は、第１及び第２検知位置を含む画像領域で画像情報を読み取るよう読取部を制御するとともに、第１及び第２検知位置で読み取られた各画像情報の最も濃度の高い領域の主走査方向位置の差が所定の範囲内にある場合であって所定の濃度を超える領域がある場合に、第３検知位置を含む紙間領域で画像情報を読み取るよう読取部をさらに制御する。異常検知部は、第３検知位置で読み取られた画像情報の最も濃度の高い領域、及び第１及び第２検知位置で読み取られた各画像情報の最も濃度の高い領域の主走査方向位置の差が所定の範囲内にある場合であって所定の濃度を超える領域がある場合に、異常が生じたと判断する。
【００１１】
この装置では、複数の原稿が副走査方向に連続的に搬送されるのに伴い、読取部が、１枚目の原稿の画像領域を先端部から順次主走査方向に走査しながら読取を行う。この読取動作において、画像領域の読取が行われるとともに、２つの検知位置での画像情報の取り込みが行われる。両検知位置で取り込まれた画像情報は、それぞれの最も濃度の高い領域の主走査方向位置の差が所定の範囲内にあり、かつ、所定の濃度を超える領域があった場合は、紙間領域の読取と共に予め設定された第３検知位置での画像情報の取り込みが行われる。
【００１２】
そして、第３検知位置で読み取られた画像情報の最も濃度の高い領域と、第１及び第２検知位置で読み取られた画像情報の最も濃度の高い領域の主走査方向位置の差が所定の主走査方向領域にあり、かつ、所定の濃度を超える領域がある場合は、画像領域側ではなく紙間領域に問題があるとして、異常が生じたと判断される。
【００１３】
ここでは、請求項１の原稿読取装置と同様、紙間領域で画像情報を取り込むべき第３検知位置が、予め検知位置指定部において設定されているので、次に搬送すべき原稿の搬送タイミングを遅らせずに済み、読取動作の生産性が低下するのを抑えられる。
【００１４】
さらに、請求項２の原稿読取装置では、第１及び第２検知位置での読取結果が所定の場合に該当するときに限って、黒筋の疑いがあると判断して第３検知位置での読込が行われるので、比較判断のための処理が少なくて済む。
【００１５】
請求項３に記載の原稿読取装置は、請求項１又は２の装置において、画像領域は、所定の副走査方向長さを有する第１原稿に対応する第１画像領域である。また、検知位置指定部は、第１画像領域より短い副走査方向長さを有する第２原稿が搬送された場合に、第２原稿の第２画像領域の搬送方向後端を第２検知位置として指定する。
【００１６】
この装置では、例えば、定常的に用いられる第１原稿に混じってサイズの小さい第２原稿が搬送された場合は、第２検知位置が第１原稿の画像領域後端部で設定されているために、第２原稿の画像領域後端部での読込が行えなくなるおそれがある。このような不都合を回避するために、請求項３の装置では、サイズの小さい第２原稿が搬送された場合は、第２原稿の第２画像領域後端を第２検知位置として読込を行うことにより、サイズの小さい原稿が搬送された場合でも、確実に画像領域後端の読込を行って、黒筋検知を行える。
【００１７】
請求項４に記載の原稿読取装置は、請求項１〜３のいずれかに記載の装置において、検知位置指定部と読取制御部とはシリアル接続されている。
【００１８】
検知位置指定部と読取制御部がシリアル接続されていると、読取動作に伴って生じるアクセスが頻繁に行われ、より多くの時間を要してしまう。この結果、次の原稿の搬送タイミングが遅れ、生産性が低下してしまう。しかし、請求項４の原稿読取装置は、上記のように、紙間領域で読込を行うべき第３検知位置が、検知位置指定部において予め設定されているので、シリアルでアクセスされるような場合であっても、生産性が低下するのを抑えることができる。
【発明の効果】
【００１９】
本発明によれば、紙間領域で画像情報を取り込むべき第３検知位置が、予め検知位置指定部において設定されているので、従来のように画像領域後端部が読み取られた後で、検知位置指定部に対し、紙間領域で再度読込を行うための検知位置を改めて設定することなく、紙間領域の画像情報の取り込みを行うことができる。これにより、次に搬送すべき原稿の搬送タイミングを遅らせずに済み、生産性が低下するのを抑えられる。
【発明を実施するための最良の形態】
【００２０】
＜全体構成＞
図１及び図２に、本発明の一実施形態が採用された原稿読取装置を含むデジタル複写機の要部を示す。
【００２１】
デジタル複写機は、複写機として機能する他、スキャナ装置、プリンタ、ファクシミリ装置としての機能を有する複合機である。デジタル複写機は、原稿送り装置１と、原稿読取装置１７と、画像形成部（図示せず）と、コントローラ３６（図３参照）と、給紙カセット（図示せず）とを備えている。
【００２２】
画像形成部は、電子写真方式を採用して用紙に画像を形成する部分であり、感光体ドラム、帯電器、露光装置、現像装置、転写装置、定着装置等を有している。
【００２３】
コントローラ３６は、図３に示すように、ＣＰＵ３４、メモリ（図示せず）、ＡＳＩＣ３３を有している。ＣＰＵ３４は、メモリに格納されたプログラムを実行することで、原稿送り装置１及び原稿読取装置１７の各ＣＰＵ４４，１４に対し所定の指示を行うほか、画像形成部等の制御を行う。ＡＳＩＣ３３は、原稿読取装置１７のＡＳＩＣと接続されており、ＡＳＩＣ及びＣＰＵとの間でＲＧＢ画像データの送受を行う（図３に太実線で示すライン）。
【００２４】
給紙カセットは、デジタル複写機本体の底部に複数段配置されており、それぞれ複数の用紙を収容可能である。
【００２５】
＜原稿送り装置＞
次に、原稿送り装置１について説明する。
【００２６】
原稿送り装置１は、デジタル複写機本体の上部に開閉自在に装着されており、原稿テーブル２、給紙ローラ３、分離コロ２１、レジストスイッチ４、レジストローラ５、タイミングスイッチ６、上排出ローラ２４及び下排出ローラ２５、駆動部４５（図３参照）、ＣＰＵ４４（図３参照）を備えている。
【００２７】
原稿テーブル２には、複数の原稿５０を積載してセットすることができる。
【００２８】
給紙ローラ３は、分離コロ２１に対向して配置されており、原稿テーブル２にセットされた原稿束から原稿５０を１枚ずつ給紙する。
【００２９】
レジストスイッチ４及びレジストローラ５は、原稿５０の斜め送りを防止するために、読取位置５２に搬送される前に原稿５０の先端を揃えるためのものである。
【００３０】
タイミングスイッチ６は、搬送される原稿５０の画像領域の先端タイミングを決めるものである。タイミングスイッチ６は、原稿５０の先端を検知すると、原稿５０の読取タイミングを調整するとともに、ＣＰＵ４４に検知信号を出力する。
【００３１】
上排出ローラ２４及び下排出ローラ２５は、後述するＣＣＤ１１による読取が終わると、回転駆動され、排紙トレイ１０２に原稿５０を排出する。
【００３２】
駆動部４５は、給紙ローラ３，分離コロ２１、レジストスイッチ４、レジストローラ５、上及び下排出ローラ２４，２５を回転駆動するためのモータを有しており、ＣＰＵ４４に制御される。
【００３３】
原稿読取装置１７の読取位置５２に対向する部分には、白色シート２６が設けられている。
【００３４】
ＣＰＵは、原稿読取装置１７のＣＰＵに接続されており、原稿送り装置１と協調して駆動部の動作を制御する。
【００３５】
＜原稿読取装置＞
次に、原稿読取装置１７について説明する。
【００３６】
原稿読取装置１７は、副操作方向に連続的に搬送される複数の原稿５０の画像情報を読取可能な装置である。原稿読取装置１７は、デジタル複写機本体の上部に配置されており、光源２８、光学系７，８，９，１０、ＣＣＤ１１及びコンタクトガラス２９と、図３に示すＡ／Ｄ変換部１２、ＡＳＩＣ１３（検知位置指定部）、ＣＰＵ１４（読取制御部）及び駆動部１５と、メモリ（図示せず）とを備えている。
【００３７】
光学系は、第１ミラー９、第２ミラー７、第３ミラー８及びレンズ１０からなり、図１及び図２に一又は二点鎖線で示す光路を形成する。
【００３８】
ＣＣＤは、読取位置５２において、原稿５０の画像領域６１と、続けて搬送される２つの原稿５０の画像領域６１間の紙間領域６２とを読取可能である。紙間領域６２では、コンタクトガラス２０を通して白色シート２６が読み取られる。読取位置５２で読み取られた画像情報は、メモリに取り込まれる。
【００３９】
コンタクトガラス２９は、デジタル複写機の本体上面を構成するガラス板であり、所定の読取位置５２を有している。読取位置５２は、後述する読取位置変更部７１によって、副走査方向に変更可能である。
【００４０】
Ａ／Ｄ変換部１２は、ＣＣＤ１１で読み取られた画像情報をデジタル化した画像データをＡＳＩＣ１３に送る。
【００４１】
ＡＳＩＣ１３は、図６に示す３つの処理ラインＡ，Ｂ，Ｃで読み取られた画像情報の取込のために、ＣＣＤ１１が検知すべき位置として３つのラインＡ〜Ｃを指定する機能を有する。ＡＳＩＣ１３は、ＣＰＵ１４とシリアル接続されるとともに、コントローラ３６のＡＳＩＣ３３にも接続されている。
【００４２】
処理ラインＡ〜Ｃは、具体的に、主走査方向長さは、図６に示すように、ＰＫＨ＿ＥＮＤからＰＫＨ＿ＳＴを引いた長さとして設定されている。また、処理ラインＡは、画像領域６１の先端からＰＫＶ＿Ａだけ離れた位置に設定されている。処理ラインＢは、画像領域６１の搬送方向先端から副操作方向に所定距離ＰＫＶ＿Ｂ処理だけ離れており、ラインＡよりも後方であって、画像領域６１後端よりも前方に位置する。処理ラインＣは、紙間領域６２内に設定されており、画像領域６１後端から所定距離ＰＫＶ＿Ｃだけ離れた位置に設定されている。また、処理ラインＡ〜Ｃはいずれも、読込時間の低減のために、１ライン（副走査方向での約２ｍｍに相当する距離）の幅で設定されている。
【００４３】
また、ＡＳＩＣ１３は、所定の規格に沿った用紙サイズの原稿（第１原稿）よりも副走査方向長さが僅かに短い原稿（第２原稿）が搬送された場合は、この原稿の画像領域（第２画像領域）の後端ラインを処理ラインＢとして指定する。なお、画像領域は、読取動作に伴って黒筋検知の処理が行われるときに、所定の規格で規定される種々の用紙サイズに応じて、画像領域６１（第１画像領域）の主走査方向及び副走査方向長さ等が各パラメータに代入される。また、紙間領域６２は、第１画像領域よりも短い副走査方向長さが設定されている。この設定に従って、図６に示すように、読取動作の際に、画像領域の主走査方向長さを規定する主走査有効区画信号ＣＣＤＥＮ、及び副走査方向長さを規定する副走査画像同期信号ＯＶＳＹＮＣが生成される。また、処理ラインＣでの画像情報の取込のために、副走査画像同期信号ＯＶＳＹＮＣ＿ＰＫが生成される。
【００４４】
ＣＰＵ１４は、メモリに格納されたプログラムを実行することにより、ＣＣＤ１１及び駆動部１５の制御を行うほか、図４に示す読取位置変更部７１及び異常判定部７２として機能する。
【００４５】
読取位置変更部７１は、公知のものを採用でき、ここでは、特許文献１に記載された読取位置変更ユニットが採用される。読取位置変更部７１は、異常検知部７２で異常が検知されるごとに、ミラー７〜９及び光源２８を所定距離ずつ副走査方向にずらして読取位置５２を変更する。
【００４６】
異常検知部７２は、ここでは、処理ラインＡ〜Ｃで読み取られた各画像情報の最高濃度領域の主走査方向アドレスの差が所定の正数Ｎ（例えばＮ＝１６ピクセル）内にある場合であって、かつ、所定の濃度Ｄを超える領域があった場合に、異常が生じたと判断する。なお、Ｄは、ここでは、濃度データで白：０、黒：２５５とする２５６階調で例えば２０／２５６の濃度である。
【００４７】
駆動部１５は、光源２８及びミラー７〜９を、図１において実線で示す位置と仮想線で示す位置との間で移動させるためのものであり、モータを有する。
【００４８】
また、メモリには、読取位置変更部７１によって読取位置５２を変更する際の移動距離を参照するためのテーブルデータが格納されている。このテーブルデータは、特許文献１に記載のものを用いることができる。
【００４９】
＜デジタル複写機の動作＞
次に、デジタル複写機の動作について説明する。
【００５０】
デジタル複写機に電源が投入されると、定着装置のヒータの加熱が行われるとともに、各メモリ内のプログラムの読み出し、各種パラメータの初期化等の初期動作が行われる。初期動作が完了すると、印刷待機状態となる。
【００５１】
印刷待機状態で、原稿送り装置１の原稿テーブル２に原稿束がセットされ、コピー又はスキャンが指示されると、原稿送り装置１において原稿の搬送が行われるとともに、原稿読取装置１７において、搬送された原稿の読み取りが行われる。
【００５２】
原稿送り装置１では、給紙ローラ３及び分離コロ２１により、原稿テーブル２にセットされた原稿束から原稿が１枚ずつ給紙され、レジストスイッチ４及びレジストローラ５によって、先端が整えられた後、読取位置５２に搬送される。
【００５３】
このとき、原稿読取装置１７では、光源２８から照射される光の原稿での反射光が光学系を通してＣＣＤ１１に入光する。ＣＣＤ１１からの画像情報は、デジタル化され、所定の画像処理が行われる。
【００５４】
このような読取動作に伴って、以下に説明する黒筋検知のための処理が行われる。
【００５５】
まず、原稿テーブルにセットされた原稿サイズが検知されると、その用紙サイズに応じた値が各パラメータに代入され、ＡＳＩＣ１３において、画像領域及び紙間領域の大きさが設定されるとともに、各処理ラインの位置が設定される。
【００５６】
１枚目の原稿が読取位置５２に搬送されると、ＣＣＤ１１によって画像領域の先端から順次画像情報が読み取られる。これに伴って、先端からＰＫＶ＿Ａ後方位置で処理ラインＡが検知され、次いで先端からＰＫＶ＿Ｂ後方位置で処理ラインＢが検知され、各ラインで読み取られた画像情報が取り込まれる。そして、画像領域後端が読取位置５２を通過すると、紙間領域の読取が行われる。これに伴って、画像領域後端が通過してからＰＫＶ＿Ｃ後方位置で処理ラインＣが検知され、このラインで読み取られた画像情報が取り込まれる。なお、各頁の画像領域の読取が終了するごとに、関数コールされ、戻り値として黒筋の原因となるゴミ２７の有無についての情報が返される。
【００５７】
図７に示すように、ステップＳ１では、処理ラインＡ〜Ｃで読み取られた画像情報について、それぞれの最高濃度領域の主走査方向のアドレス座標の差の絶対値がＮ未満であるか否かが判断される。差がＮ以上であった場合は（Ｓ１のＮｏ）、原稿搬送方向に連続する黒筋ではなくトナーの付着等のスポット的な汚れであって異常は生じていないと判断される。一方、差がＮ未満であった場合は（Ｓ１のＹｅｓ）、異常の疑いがあるとして、ステップＳ２に移行し、絶対座標の範囲内での各ラインの最高濃度領域の濃度が所定の濃度Ｄを超えるか否かが判断される。この結果、濃度Ｄ以下である場合は（Ｓ２のＮｏ）、異常が生じていないと判断され、濃度Ｄを超える場合は（Ｓ２のＹｅｓ）、異常が生じたと判断され、読取位置が変更される。読取位置の変更は、特許文献１に記載された手順に従って、異常が生じたと判断されるごとに、副走査方向に所定距離だけ移動する。
【００５８】
なお、コピーが指示された場合は、いずれかの給紙カセットから用紙が給紙され、原稿読取装置で読み取られた画像情報に基づいて、画像形成部において画像が形成される。
【００５９】
以上のように構成された原稿読取装置によれば、紙間領域で画像情報を取り込むべき処理ラインＣが、予めＡＳＩＣ１３において設定されているので、画像領域後端が読み取られた後で、ＡＳＩＣ１３に対し、紙間領域で再度読込を行うための処理ラインを改めて設定することなく、紙間領域の画像情報の取り込みを行うことができる。これにより、次に搬送すべき原稿の搬送タイミングを遅らせずに済み、読取動作の生産性が低下するのを抑えられる。
【００６０】
＜他の実施形態＞
ここでは、上記実施形態との相違に注目して説明する。
【００６１】
上記実施形態では、処理ラインＡ，Ｂ，Ｃの読込を一括して行ったが、以下に説明するように、異常の発生が疑わしい場合にのみ処理ラインＣの読込を行うようにしても良い。
【００６２】
原稿読取装置のＣＰＵは、処理ラインＡ，Ｂで読み取られた各画像情報の最高濃度領域の主走査方向のアドレス座標の差が絶対値Ｎ未満の場合であって、かつ、所定の濃度Ｄを超える領域があった場合にのみ、処理ラインＣを含む紙間領域で画像情報を読み取るようＣＣＤを制御する。また、異常検知部としてのＣＰＵは、処理ラインＣで読み取られた画像情報の最高濃度領域と、処理ラインＡ，Ｂで読み取られた各画像情報の最高濃度領域との主走査方向のアドレス座標の差が絶対値Ｎ未満の場合であって、かつ、処理ラインＣで読み取られた画像情報の最高濃度領域が所定の濃度Ｄを超える場合に、異常が生じたと判断する。さらに、メモリには、最近に処理ラインＡ，Ｂで読み込まれた画像情報のうち最高濃度領域の主走査方向アドレスが記憶される。
【００６３】
次に、図８を参照して、この原稿読取装置による黒筋検知動作を説明する。
【００６４】
ステップＳ１１において、処理ラインＡ，Ｂで読み込まれた各画像情報のうち最高濃度領域の主走査方向アドレスと、メモリに記憶されている最高濃度領域の主走査方向アドレスとの差が所定の絶対値Ｎ以上である場合は、異常なしと判断され（Ｓ１１のＮｏ）、最高濃度領域のアドレスが前回の値としてメモリに記憶される（Ｓ１７）。
【００６５】
一方、ステップＳ１１において、差がＮ未満であった場合は（Ｓ１１のＹｅｓ）、そのアドレスでの最高濃度が濃度Ｄより大きいか否かが判断される（Ｓ１２）。この結果、濃度Ｄ以下である場合は（Ｓ１２のＮｏ）、異常なしと判断され、ステップＳ１７に移行する。この場合は、紙間領域の読取において、処理ラインＣで読み取られた画像情報の読込は行われない。
【００６６】
一方、ステップＳ１２において、濃度Ｄを超えると判断された場合は（Ｓ１２のＹｅｓ）、異常の疑いがあると判断され、ステップＳ１１で検知された最高濃度領域のアドレスが注目画素アドレスとしてメモリに記憶される（Ｓ１３）。
【００６７】
そして、最初に搬送された原稿の画像領域の後端が通過すると、続けて紙間領域の読取が行われ、処理ラインＣで読み取られた画像情報が読み込まれる。このとき、ステップＳ１４において、処理ラインＣでの画像情報の最高濃度領域が濃度Ｄを超えるか否かが判断され、濃度Ｄ以下である場合は（Ｓ１４のＮｏ）、異常なしと判断され、ステップＳ１７に移行する。
【００６８】
一方、濃度Ｄを超えると判断された場合は（Ｓ１４のＹｅｓ）、ラインＣでの最高濃度領域のアドレスと、ステップＳ１３で記憶された注目画素のアドレスとの差が絶対値Ｎ未満であるか否かが判断される（Ｓ１５）。ここで、差がＮ以上である場合は（Ｓ１５のＮｏ）、異常なしと判断され、ステップＳ１７に移行する。
【００６９】
一方、差がＮ未満であると判断された場合は（Ｓ１５のＹｅｓ）、異常有りと判断され、ステップＳ１６において、ラインＡ，Ｂでの最高濃度領域のアドレスがメモリに記憶される。
【００７０】
このように構成された原稿読取装置によれば、処理ラインＡ，Ｂでの読取結果が所定の場合に該当するときに限って、黒筋の疑いがあると判断して処理ラインＣでの読込が行われるので、比較判断のための処理が少なくて済む。
【図面の簡単な説明】
【００７１】
【図１】本発明の一実施形態が採用された原稿読取装置及び原稿送り装置を示す縦断面図。
【図２】前記原稿読取装置及び原稿送り装置を示す要部縦断面図。
【図３】前記原稿読取装置を含むデジタル複写機の要部を示す制御ブロック図。
【図４】前記原稿読取装置の要部を示す制御ブロック図。
【図５】画像領域及び紙間領域を示す平面図。
【図６】検知位置を説明するための平面図。
【図７】前記原稿読取装置の動作を説明するためのフローチャート。
【図８】他の実施形態が採用された原稿読取装置の動作を説明するためのフローチャート。
【符号の説明】
【００７２】
１  原稿送り装置
１１  ＣＣＤ（読取部）
１３  ＡＳＩＣ（検知位置指定部）
１４  ＣＰＵ（読取制御部）
１７  原稿読取装置
５０  原稿
６１  画像領域
６２  紙間領域
７２  異常検知部
【図１】
2008193553.tif 000003
【図２】
2008193553.tif 000004
【図３】
2008193553.tif 000005
【図４】
2008193553.tif 000006
【図５】
2008193553.tif 000007
【図６】
2008193553.tif 000008
【図７】
2008193553.tif 000009
【図８】
2008193553.tif 000010